【手続補正書】
【提出日】平成18年4月24日(2006.4.24)
【手続補正１】
【補正対象書類名】明細書
【補正対象項目名】発明の名称
【補正方法】変更
【補正の内容】
【発明の名称】商品発注装置及びその制御方法、並びに制御プログラム
【手続補正２】
【補正対象書類名】明細書
【補正対象項目名】特許請求の範囲
【補正方法】変更
【補正の内容】
【特許請求の範囲】
【請求項１】  発注端末と通信回線を介して接続された商品発注装置において、
商品コードを含む商品情報を記憶する商品マスタと、
前記発注端末を使用しているユーザのユーザ識別情報を記憶するユーザ識別情報記憶手段と、
前記発注端末において商品の発注情報を入力させる画面を表示させるための表示情報を生成する表示情報生成手段と、
前記生成された表示情報を前記発注端末に送信する表示情報送信手段と、
前記生成された表示情報による画面を介して前記発注端末で入力された発注情報を受信した場合、当該受信した発注情報に含まれる前記商品コードに基づいて前記商品マスタを検索し、当該商品コードが当該商品マスタに登録済みであるかを判定する第一の判定手段と、
前記第一の判定手段により前記商品コードが前記商品マスタに登録済みでないと判定されたときに、前記ユーザ識別情報に基づいて特定されるユーザが商品マスタ登録権限を有するかを判定する第二の判定手段と、
前記第二の判定手段により前記ユーザが前記商品マスタ登録権限を有すると判定されたときに、前記発注情報に基づいて商品マスタ登録処理を実行するマスタ登録手段と、
前記発注情報に基づいて発注処理を実行する発注処理手段とを備えることを特徴とする商品発注装置。
【請求項２】  前記第二の判定手段により前記ユーザが前記商品マスタ登録権限なしと判定されたときに、前記発注端末から受信した発注情報に基づく商品情報を前記商品マスタへ登録するよう依頼する旨の情報を、前記商品マスタ登録権限を有すると判定されたユーザが使用している発注端末に送信する商品マスタ登録依頼手段を更に備えることを特徴とする請求項１記載の商品発注装置。
【請求項３】  前記発注情報を記憶する発注情報記憶手段と、
前記第二の判定手段により前記ユーザが前記商品マスタ登録権限なしと判定されたときに、前記発注情報における発注区分に仮発注である旨の情報を加えて当該発注情報を前記発注情報記憶手段に登録する発注情報登録手段とを更に備え、
前記マスタ登録手段は、前記第二の判定手段により前記ユーザが前記商品マスタ登録権限なしと判定されたときに、前記商品情報における登録区分に仮登録である旨の情報を加えて前記商品マスタに登録し、
前記商品マスタに登録された商品情報の登録区分が仮登録から本登録に更新されたときに、前記発注情報記憶手段に登録された発注情報の発注区分を仮発注から本発注に更新すると共に、前記発注情報を発注先の発注端末に送信することを特徴とする請求項１又は２記載の商品発注装置。
【請求項４】  発注端末と通信回線を介して接続され、商品コードを含む商品についての情報を記憶する商品マスタを備えた商品発注装置の制御方法であって、
前記発注端末を使用しているユーザのユーザ識別情報を記憶手段に記憶するユーザ識別情報記憶工程と、
前記発注端末において商品の発注情報を入力させる画面を表示するための表示情報を生成する表示情報生成工程と、
前記生成された表示情報を前記発注端末に送信する表示情報送信工程と、
前記生成された表示情報による画面を介して前記発注端末で入力された発注情報を受信した場合、当該受信した発注情報に含まれる前記商品コードに基づいて前記商品マスタを検索し、当該商品コードが当該商品マスタに登録済みであるかを判定する第一の判定工程と、
前記第一の判定工程にて前記商品コードが前記商品マスタに登録済みでないと判定されたときに、前記ユーザ識別情報に基づいて特定されるユーザが商品マスタ登録権限を有するかを判定する第二の判定工程と、
前記第二の判定工程にて前記ユーザが前記商品マスタ登録権限を有すると判定されたときに、前記発注情報に基づいて商品マスタ登録処理を実行するマスタ登録工程と、
前記発注情報に基づいて発注処理を実行する発注処理工程とを備えることを特徴とする制御方法。 
【請求項５】  発注端末と通信回線を介して接続され、商品コードを含む商品についての情報を記憶する商品マスタを備えた商品発注装置の制御方法をコンピュータに実行させる制御プログラムであって、
前記発注端末を使用しているユーザのユーザ識別情報を記憶手段に記憶するユーザ識別情報記憶ステップと、
前記発注端末に送信して前記発注端末において商品の発注情報を入力させる画面を表示させるための表示情報を生成する表示情報生成ステップと、
前記生成された表示情報を前記発注端末に送信する表示情報送信ステップと、
前記生成された表示情報による画面を介して前記発注端末で入力された発注情報を受信した場合、当該発注情報に含まれる前記商品コードに基づいて前記商品マスタを検索し、当該商品コードが当該商品マスタに登録済みであるかを判定する第一の判定ステップと、
前記第一の判定ステップにて前記商品コードが前記商品マスタに登録済みでないと判定されたときに、前記ユーザ識別情報に基づいて特定されるユーザが商品マスタ登録権限を有するかを判定する第二の判定ステップと、
前記第二の判定ステップにて前記ユーザが前記商品マスタ登録権限を有すると判定されたときに、前記発注情報に基づいて商品マスタ登録処理を実行するマスタ登録ステップと、
前記発注情報に基づいて発注処理を実行する発注処理ステップとを備えることを特徴とする制御プログラム。
【手続補正３】
【補正対象書類名】明細書
【補正対象項目名】００１１
【補正方法】変更
【補正の内容】
【００１１】
本発明は、上記問題点に鑑みてなされたものであり、商品情報の管理上の問題を防止すると共に、商品マスタに登録するデータ量の肥大化を抑制し、発注担当者の負荷を大幅に軽減することが可能な商品発注装置及びその制御方法、並びに制御プログラムを提供することを目的とする。
【手続補正４】
【補正対象書類名】明細書
【補正対象項目名】００１２
【補正方法】変更
【補正の内容】
【００１２】
【課題を解決するための手段】
上記目的を達成するために、請求項１記載の商品発注装置は、発注端末と通信回線を介して接続された商品発注装置において、商品コードを含む商品情報を記憶する商品マスタと、前記発注端末を使用しているユーザのユーザ識別情報を記憶するユーザ識別情報記憶手段と、前記発注端末において商品の発注情報を入力させる画面を表示させるための表示情報を生成する表示情報生成手段と、前記生成された表示情報を前記発注端末に送信する表示情報送信手段と、前記生成された表示情報による画面を介して前記発注端末で入力された発注情報を受信した場合、当該受信した発注情報に含まれる前記商品コードに基づいて前記商品マスタを検索し、当該商品コードが当該商品マスタに登録済みであるかを判定する第一の判定手段と、前記第一の判定手段により前記商品コードが前記商品マスタに登録済みでないと判定されたときに、前記ユーザ識別情報に基づいて特定されるユーザが商品マスタ登録権限を有するかを判定する第二の判定手段と、前記第二の判定手段により前記ユーザが前記商品マスタ登録権限を有すると判定されたときに、前記発注情報に基づいて商品マスタ登録処理を実行するマスタ登録手段と、前記発注情報に基づいて発注処理を実行する発注処理手段とを備えることを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
請求項２記載の商品発注装置は、請求項１記載の商品発注装置において、前記第二の判定手段により前記ユーザが前記商品マスタ登録権限なしと判定されたときに、前記発注端末から受信した発注情報に基づく商品情報を前記商品マスタへ登録するよう依頼する旨の情報を、前記商品マスタ登録権限を有すると判定されたユーザが使用している発注端末に送信する商品マスタ登録依頼手段を更に備えることを特徴とする。
【手続補正８】
【補正対象書類名】明細書
【補正対象項目名】００１６
【補正方法】変更
【補正の内容】
【００１６】
請求項３記載の商品発注装置は、請求項１又は２記載の商品発注装置において、前記発注情報を記憶する発注情報記憶手段と、前記第二の判定手段により前記ユーザが前記商品マスタ登録権限なしと判定されたときに、前記発注情報における発注区分に仮発注である旨の情報を加えて当該発注情報を前記発注情報記憶手段に登録する発注情報登録手段とを更に備え、前記マスタ登録手段は、前記第二の判定手段により前記ユーザが前記商品マスタ登録権限なしと判定されたときに、前記商品情報における登録区分に仮登録である旨の情報を加えて前記商品マスタに登録し、前記商品マスタに登録された商品情報の登録区分が仮登録から本登録に更新されたときに、前記発注情報記憶手段に登録された発注情報の発注区分を仮発注から本発注に更新すると共に、前記発注情報を発注先の発注端末に送信することを特徴とする。
【手続補正９】
【補正対象書類名】明細書
【補正対象項目名】００１７
【補正方法】変更
【補正の内容】
【００１７】
上記目的を達成するために、請求項４記載の商品発注装置の制御方法は、発注端末と通信回線を介して接続され、商品コードを含む商品についての情報を記憶する商品マスタを備えた商品発注装置の制御方法であって、前記発注端末を使用しているユーザのユーザ識別情報を記憶手段に記憶するユーザ識別情報記憶工程と、前記発注端末において商品の発注情報を入力させる画面を表示するための表示情報を生成する表示情報生成工程と、前記生成された表示情報を前記発注端末に送信する表示情報送信工程と、前記生成された表示情報による画面を介して前記発注端末で入力された発注情報を受信した場合、当該受信した発注情報に含まれる前記商品コードに基づいて前記商品マスタを検索し、当該商品コードが当該商品マスタに登録済みであるかを判定する第一の判定工程と、前記第一の判定工程にて前記商品コードが前記商品マスタに登録済みでないと判定されたときに、前記ユーザ識別情報に基づいて特定されるユーザが商品マスタ登録権限を有するかを判定する第二の判定工程と、前記第二の判定工程にて前記ユーザが前記商品マスタ登録権限を有すると判定されたときに、前記発注情報に基づいて商品マスタ登録処理を実行するマスタ登録工程と、前記発注情報に基づいて発注処理を実行する発注処理工程とを備えることを特徴とする。
【手続補正１０】
【補正対象書類名】明細書
【補正対象項目名】００１８
【補正方法】変更
【補正の内容】
【００１８】
上記目的を達成するために、請求項５記載の制御プログラムは、発注端末と通信回線を介して接続され、商品コードを含む商品についての情報を記憶する商品マスタを備えた商品発注装置の制御方法をコンピュータに実行させる制御プログラムであって、前記発注端末を使用しているユーザのユーザ識別情報を記憶手段に記憶するユーザ識別情報記憶ステップと、前記発注端末に送信して前記発注端末において商品の発注情報を入力させる画面を表示させるための表示情報を生成する表示情報生成ステップと、前記生成された表示情報を前記発注端末に送信する表示情報送信ステップと、前記生成された表示情報による画面を介して前記発注端末で入力された発注情報を受信した場合、当該発注情報に含まれる前記商品コードに基づいて前記商品マスタを検索し、当該商品コードが当該商品マスタに登録済みであるかを判定する第一の判定ステップと、前記第一の判定ステップにて前記商品コードが前記商品マスタに登録済みでないと判定されたときに、前記ユーザ識別情報に基づいて特定されるユーザが商品マスタ登録権限を有するかを判定する第二の判定ステップと、前記第二の判定ステップにて前記ユーザが前記商品マスタ登録権限を有すると判定されたときに、前記発注情報に基づいて商品マスタ登録処理を実行するマスタ登録ステップと、前記発注情報に基づいて発注処理を実行する発注処理ステップとを備えることを特徴とする。
【手続補正１１】
【補正対象書類名】明細書
【補正対象項目名】００７６
【補正方法】変更
【補正の内容】
【００７６】
【発明の効果】
以上詳細に説明したように、請求項１記載の装置、請求項４記載の方法、及び請求項５記載のプログラムによれば、発注端末において商品の発注情報を入力させる画面を表示するための表示情報を生成し、生成された表示情報を発注端末に送信し、生成された表示情報による画面を介して発注端末で入力された発注情報を受信した場合、当該受信した発注情報に含まれる商品コードに基づいて商品マスタを検索し、当該商品コードが当該商品マスタに登録済みであるかを判定し、商品コードが商品マスタに登録済みでないと判定されたときに、ユーザ識別情報に基づいて特定されるユーザが商品マスタ登録権限を有するかを判定し、当該ユーザが商品マスタ登録権限を有すると判定されたときに、発注情報に基づいて商品マスタ登録処理及び発注処理を実行するので、商品情報の管理上の問題を防止すると共に、商品情報として登録されるデータ量の肥大化を抑制し、発注担当者であるユーザの負荷を大幅に軽減することができる。
【手続補正１２】
【補正対象書類名】明細書
【補正対象項目名】００７７
【補正方法】削除
【補正の内容】
【手続補正１３】
【補正対象書類名】明細書
【補正対象項目名】００７８
【補正方法】削除
【補正の内容】
【手続補正１４】
【補正対象書類名】明細書
【補正対象項目名】００７９
【補正方法】変更
【補正の内容】
【００７９】
請求項２記載の装置によれば、ユーザ識別情報に基づいて特定されるユーザが商品マスタ登録権限なしと判定されたときに、発注端末から受信した発注情報に基づく商品情報を商品マスタへ登録するよう依頼する旨の情報を、商品マスタ登録権限を有すると判定されたユーザが使用している発注端末に送信するので、商品マスタ登録権限を有するユーザの作業負荷を軽減することができる。
【手続補正１５】
【補正対象書類名】明細書
【補正対象項目名】００８０
【補正方法】変更
【補正の内容】
【００８０】
請求項３記載の装置によれば、商品の発注情報を記憶し、ユーザが商品マスタ登録権限なしと判定されたときに、発注情報における発注区分に仮発注である旨の情報を加えて当該発注情報を発注情報記憶手段に登録し、ユーザが商品マスタ登録権限なしと判定されたときに、商品情報における登録区分に仮登録である旨の情報を加えて商品マスタに登録し、商品マスタに登録された商品情報の登録区分が仮登録から本登録に更新されたときに、発注情報記憶手段に登録された発注情報の発注区分を仮発注から本発注に更新すると共に、発注情報を発注先の発注端末に送信するので、ユーザの作業負荷を軽減することができる。